(57)【要約】  ペン針組立品（１０）を格納するための格納デバイス（３０）は、ペン針組立品を受け入れるための寸法を持つ第１のウェル（４４）、およびペン針組立品の内側シールド（２４）を受け入れるための第２のウェル（４６）、を有するハウジング（３０）を含む。第２のウェル（４６）は、第１のウェル（４４）の直径よりも小さい直径を有する。ハウジング（３４）内のエジェクタ（４０）は、処分のために、使用された針ハブ（１６）および外側カバー（２２）を第１のウェル（４４）からならびに内側シールド（２４）を第２のウェル（４６）から排出するために、作動され得る。また、ペン針送達デバイスを針ハブに結合させる方法も提供される。
2019536566.tif 000002
【特許請求の範囲】
【請求項１】
ペン針送達デバイスのための少なくとも１つのペン針組立品を支持するためのデバイスであって、前記ペン針組立品は、外側カバー、カニューレを有する針ハブ、および内側シールドを含み、前記デバイスは、
上壁および側壁を有するハウジングであって、前記上壁は、前記ペン針組立品を受け入れるための少なくとも１つの第１のウェルおよび前記第１のウェルよりも小さい直径および前記内側シールドを受け入れおよび保持するための寸法を有する少なくとも１つの第２のウェルを備える外側上面を有する、ハウジング、および、
前記外側カバーおよび使用された針ハブを前記第１のウェルから排出するためおよび前記内側シールドを前記第２のウェルから排出するためのエジェクタ、
を含むことを特徴とするデバイス。
【請求項２】
前記第１のウェルは、前記外側カバーからの前記針ハブの分離を可能にするために、前記ペン針組立品の前記外側カバーと係合するための寸法を有することを特徴とする請求項１に記載のデバイス。
【請求項３】
前記第１のウェルは、前記外側カバーからの前記針ハブの分離を可能にするためおよび前記第１のウェル内部における前記外側カバーの回転を抑制するために十分な力で前記外側カバーを把握するために、前記外側カバーの形状および寸法を補完する形状および寸法を有することを特徴とする請求項１に記載のデバイス。
【請求項４】
前記第１のウェルは、前記ハウジングに対する前記外側カバーの前記回転を抑制するために、前記外側カバー上の補完凹部と結合するために、配向されるリブを含むことを特徴とする請求項３に記載のデバイス。
【請求項５】
前記第２のウェルは、前記内側シールドからの前記針ハブの分離を可能にするために、前記内側シールドと係合するための寸法を有することを特徴とする請求項１に記載のデバイス。
【請求項６】
前記第２のウェルは、摩擦嵌合によって前記内側シールドを把握するための内面を有することを特徴とする請求項５に記載のデバイス。
【請求項７】
前記エジェクタは、第１の位置から第２の位置に移動可能であり、前記エジェクタは、前記第１のウェルと協働する第１のプランジャおよび前記第２のウェルと協働する第２のプランジャを含み、それによって、前記第１の位置から前記第２の位置への前記エジェクタの移動は、前記外側カバーおよび使用された針ハブを前記第１のウェルから排出し、および前記内側シールドを前記第２のウェルから排出することを特徴とする請求項１に記載のデバイス。
【請求項８】
ペン針送達デバイスのための複数のペン針組立品を支持するための格納デバイスであって、各ペン針組立品は、外側カバー、カニューレを有する針ハブ、および内側シールドを含み、前記デバイスは、
上壁および側壁を有するハウジングであって、前記上壁は、前記ペン針組立品を受け入れるための複数の第１のウェルおよび前記第１のウェルよりも小さい直径および前記内側シールドを受け入れおよび保持するための寸法を有する複数の第２のウェルを備える外側上面を有する、ハウジング、および
前記外側カバーおよび使用された針ハブを前記第１のウェルから排出するためのおよび前記内側シールドを前記第２のウェルから排出するための移動可能エジェクタ、
を含むことを特徴とするデバイス。
【請求項９】
前記第１のウェルは、前記外側カバーからの前記針ハブの分離を可能にするために、前記第１のウェル内において前記ペン針組立品の前記外側カバーを係合しおよび保持するための寸法を有することを特徴とする請求項８に記載のデバイス。
【請求項１０】
前記第１のウェルは、前記外側カバーからの前記針ハブの分離を可能にするためおよび前記第１のウェル内部における前記外側カバーの回転を抑制するために、十分な力で前記外側カバーを把握するために、前記外側カバーの形状および寸法を補完する形状および寸法を有することを特徴とする請求項８に記載のデバイス。
【請求項１１】
前記第１のウェルは、当該ウェルおよびハウジングに対する前記外側カバーの前記回転を抑制するために、前記外側カバー上の補完凹部と結合するために、配向されるリブを含むことを特徴とする請求項１０に記載のデバイス。
【請求項１２】
前記第２のウェルは、前記内側シールドからの前記針ハブの分離を可能にするために、前記内側シールドと係合するための寸法を有することを特徴とする請求項８に記載のデバイス。
【請求項１３】
前記第２のウェルは、摩擦嵌合によって前記内側シールドを把握するための内面を有することを特徴とする請求項１２に記載のデバイス。
【請求項１４】
前記エジェクタは、第１の位置から第２の位置に移動可能であり、前記エジェクタは、それぞれの第１のウェルと協働するためおよびそれぞれの第１のウェル内で摺動するための第１のプランジャ、およびそれぞれの第２のウェルと協働するためおよびそれぞれの第２のウェル内で摺動するための第２のプランジャを含み、それによって、前記第１の位置から前記第２の位置への前記エジェクタの移動が、前記外側カバーおよび使用された針ハブを各前記第１のウェルから排出し、および前記内側シールドを各前記第２のウェルから排出することを特徴とする請求項１に記載のデバイス。
【請求項１５】
物質を患者に送達するためのペン針送達デバイスに関して針ハブを結合および結合解除する方法であって、前記方法は、
外側カバーおよびペン針組立品の針ハブを受け入れるための寸法を持つ複数の第１のウェル、前記ペン針組立品の内側シールドを受け入れるための寸法を有する複数の第２のウェル、を備えるハウジングを有する支持デバイスを提供する工程、
前記第１のウェルのうちの１つ内に前記ペン針組立品を挿入しおよび前記針ハブの結合端に結合させる工程、
前記ペン針送達デバイスおよび針ハブを前記第１のウェルから取り外す工程、
前記針ハブに結合された内側シールドを前記デバイスの第２のウェル内に挿入する工程であって、前記第２のウェルは、前記第１のウェルから間隔が空けられ、前記内側シールドは、前記第２のウェルによって把握され、および物質を患者に送達するのに使用するために前記内側シールドから前記針ハブを分離する、工程、ならびに
結果として得らえる使用された針ハブを、前記第１のウェル内に保持される前記外側カバー内に位置付け、および前記ペン針送達デバイスから前記針ハブを結合解除する工程、 を含むことを特徴とする方法。
【請求項１６】
前記外側カバーは、前記針ハブを覆う取り外し可能シールを含み、前記方法は、前記ペン針組立品を前記第１のウェル内に挿入する前に前記シールを取り外す工程を含むことを特徴とする請求項１５に記載の方法。
【請求項１７】
前記エジェクタは、前記ハウジングに関して移動可能であり、前記エジェクタは、対応する第１のウェル内で摺動するために配向される複数の第１のプランジャおよび対応する第２のウェル内で摺動するために配向される複数の第２のプランジャを有し、前記方法は、外側カバーおよび使用された針ハブを前記第１のウェルから排出するためおよび前記内側シールドを前記第２のウェルから排出するために、前記第１および第２のプランジャを摺動させるために、前記エジェクタを作動させる工程を含むことを特徴とする請求項１５に記載の方法。
【発明の詳細な説明】
【技術分野】
【０００１】
本出願は、米国特許法第１１９条（ａ）の下、２０１６年１２月６日に出願された中国実用新案出願番号第２０１６２１３３３８２４．１号、および２０１６年１２月６日に出願された中国発明特許出願第２０１６１１１１１４９４．６号に基づく優先権を主張し、これらは参照によってその全体が本明細書中に組み込まれる。
【０００２】
本発明は、概して、ペン針組立品をペン送達デバイスに据え付ける際に使用するための装置に関する。より具体的には、本発明は、概して、不注意な（inadvertent）針刺しのリスクを低減させるために、内側シールド（内側シールド）を備える針ハブを保持するためおよび使用後の針ハブを保持するための第１のウェルを有する装置に関する。装置は、内側シールドに手を触れる必要なく内側シールドを針ハブから分離するための、内側シールドを受け入れるための第２のウェルを有し得る。
【背景技術】
【０００３】
インスリンおよび他の注射可能薬（injectable medications）は、一般に、薬物送達ペンを用いて送達され、それによって使い捨てのペン針ハブはペンに取り付けられて、薬物容器（drug container）アクセスを容易にしおよび流体が容器から針を通って患者内に出ることを可能にする。
【０００４】
様々なペン針送達デバイスは、物質を患者に分配するための技術分野において知られている。送達デバイスは、多くの場合、患者内に挿入するためのハブの患者端から延びるカニューレまたは針を有する使い捨ての針ハブを使用する。ハブの非患者端は、物質を患者に送達するためのペン送達デバイスに結合される。
【０００５】
針ハブ組立品は、多くの場合、いくつかのばらの状態の（loose）針ハブを含有する容器内に包装される。針ハブは、包装から選択され、および患者に注射をするためのペン針送達デバイスに取り付けられ、および次いで、取り外されて廃棄される。針ハブ包装は、針ハブを封入する外側カバー、および外側カバーから剥離されて針ハブが取り外され得るようにキャビティ―を開放する取り外し可能シール、を含む。針ハブは、送達デバイス上に螺合される（threaded onto）ねじ付き（threaded）非患者端を有し得る。針ハブが取り付けられた状態の送達デバイスは、次いで、外側カバーから取り外される。内部針シールドは、デバイスが使える状態となるまでカニューレを覆うために、針ハブに取り付けられる。シールドは、物質を患者に送達するために使用するためのカニューレを露出させるために取り外される。使用後に、針ハブは、露出されたカニューレを封入するために、外側カバー内に挿入し戻され得る。ペン送達デバイスは、針ハブを外側カバー内部に残して針ハブから分離される。
【０００６】
従来の（prior）デバイスは、針ハブへ接続しおよび針ハブを送達デバイスから取り外すために両手の使用を必要とする。外側カバー内に配置し戻される間、カニューレは、露出され、および偶発的な針刺しの高いリスクをもたらす。使用済みの針ハブおよびカニューレを外側カバーのキャビティ内へ位置付ける間に外側カバーを把持する手動操作は、偶発的な針刺しなしには困難であり得る。
【０００７】
既存の（Existing）ペン針組立品は、Ｍａｒｓｈらに対する特許文献１およびＲ.  Ｍａｒｓｈに対する特許文献２に開示されており、その両方の内容全体は、参照によって本明細書に組み込まれる。
【０００８】
従来のデバイスは、意図される使用のために適当であったが、業界において、ペン針ハブ組立品のための改善された包装に対する継続的な要求がある。
【先行技術文献】
【特許文献】
【０００９】
【特許文献１】米国特許出願公開第２００６／０２２９５６２号
【特許文献２】米国特許出願公開第２００７／０１４９９２４号
【発明の概要】
【００１０】
少なくとも１つのペン針ハブ組立品を受け入れるための装置およびデバイスが開示される。特に、１つの特徴は、不注意な針刺しのリスクを低減させる方法で使用され得るペン針組立品のための包装または装置を対象とする。
【００１１】
１つの実施形態において、装置には、針ハブおよびカニューレを保持および支持する一方、ペン針送達デバイスに取り付け、および使用された針ハブを処分（disposal）のために格納するための針ハブ用のウェルが備わっている。装置は、操作者が内側シールドに手を触れることなく内側シールドが針ハブから取り除かれ得るようにカニューレを覆う内側シールドを受け入れるための凹部またはウェルを有する。使用された針ハブは、ウェル内に挿入し戻されおよび処分の準備ができるまで格納され得る。エジェクタ機構は、針ハブ、外側カバーおよび内側シールドを、鋭利物容器（sharps container）のような適当な処分手段（disposal）に排出するために設けられる。
【００１２】
装置の別の態様に従って、内側シールドは、内側シールドが摩擦嵌合（friction fit）または干渉嵌合（interference fit）によって保持されるように、装置内のウェル内に挿入され得る。針ハブおよびカニューレは、次いで、内側シールドがウェル内に保持されている間に、使用者が内側シールドに手を触れる必要なしに、内側シールドを分離するために引っ張られ得る。
【００１３】
装置の１つの態様は、使用者が針ハブ上の露出されたカニューレを備える露出されたハブに手を触れる必要なしに針ハブを送達デバイスに取り付けるために針ハブ組立品を受け入れおよび支持するためのデバイスを提供することである。針ハブ組立品は、送達デバイスが針ハブの非患者端に取り付けられ得るように、デバイス内に位置付けられる。針ハブ上の内側針シールドは、次いで、内側シールドが内側シールドに手を触れることなく針ハブから分離され得るように、内側シールドを把握するためにデバイス内のウェル内に挿入され得る。使用後に、針ハブは、デバイスのウェル内に位置付けられ、および送達デバイスから接続解除され、そこでデバイスは、使用された針ハブ、外側カバー、および内側シールドを保持する。針ハブは、カニューレを封入しおよび不注意な針刺しのリスクを低減させるために、摩擦嵌合または干渉嵌合によって針ハブウェル内に保持され得る。エジェクタは、使用された構成要素をデバイスから処分容器内に排出するために設けられる。
【００１４】
装置の様々な特徴は、基本的に、ペン針組立品が外側カバー、針ハブ、および針ハブ上のカニューレを覆う内側シールドを含むペン針組立品のためのデバイスを提供することによって達成される。デバイスは、上壁および側壁を有するハウジングを含む。上壁は、ペン針組立品を受け入れるための寸法を持つ少なくとも１つの第１のウェルを備える外側上面を有する。第２のウェルは、上壁内に形成され、および第１のウェルの直径よりも小さい直径および内側シールドを受け入れおよび保持するための寸法を有する。デバイスは、外側カバーおよび針ハブを第１のウェルから排出するため、および内側シールドを第２のウェルから排出するため、のエジェクタを含む。
【００１５】
１つの実施形態において、第２のウェルは、内側シールドをウェル内へ挿入することにより、針ハブがペン針に取り付けられたときに物質を患者に送達するためのカニューレを露出させるために内側シールドを分離するために外方に引っ張られ得る十分な力で内側シールドを把握するように、摩擦嵌合または干渉嵌合によって内側シールドを受け入れるための寸法を有する。針ハブおよびカニューレの使用後に、針ハブは、第１のウェル内に挿入され、そこで、針ハブは、ペン針送達デバイスが針ハブから操作者が針ハブに手を触れることなく分離されそれによって不注意な針刺しのリスクを低減し得るように、摩擦嵌合または干渉嵌合によって把握され得る。
【００１６】
装置の特徴は、外側上面を備える上壁を有するハウジングを含むデバイスを提供することによって、さらに達成される。上壁は、第１の寸法を持つ複数の第１のウェル、および第２の寸法を持つ複数の第２のウェル、を含む。各第１のウェルは、外側カバー、カニューレを有する針ハブ、およびカニューレを封入するために針ハブに結合される内側シールド、を有するペン針組立品を受け入れる。第２のウェルは、内側シールドを受け入れおよび保持するための寸法を有する。デバイスは、第１のウェルに受け入れられた外側カバーおよび使用された針ハブを排出するため、および第２のウェルに受け入れられた内側シールドを排出するため、のエジェクタをさらに含む。
【００１７】
本発明の特徴は、支持デバイスを用いてペン針組立品の針ハブを送達デバイスに結合する方法によってさらに達成される。デバイスは、ペン針組立品を含有するための複数の第１のウェル、ペン針組立品の内側シールドを受け入れるための寸法を持つ複数の第２のウェル、を備える上壁、およびペン針組立品の外側カバーと針ハブとを第１のウェルから排出しおよび内側シールドを第２のウェルから排出するためのエジェクタ、を有する。方法は、送達デバイスの結合端を第１のウェル内に挿入して針ハブの開放端と係合および結合させる工程を含む。針ハブが取り付けられた状態の送達デバイスは、外側カバーが第１のウェル内に保持されたままで、取り外される。内側シールドは、第２のウェル内に挿入され、そこで内側シールドは、物質を患者に送達するのに使用するためのカニューレを露出させるために、針ハブが内側シールドから引き離されおよび分離され得るのに十分な力で把握される。使用後に、針ハブは、第１のウェル内に保持された外側カバー内に挿入され、および送達デバイスから接続解除される。エジェクタは、次いで、処分のために、使用された針ハブおよび外側カバーを第１のウェルから排出し、および内側シールドを第２のウェルから排出するために、作動させられる。
【００１８】
本発明の目的、利点、および顕著な特徴は、添付図面と併せて本発明の例示的な実施形態を開示する以下の詳細な説明から、明らかになるであろう。
【００１９】
本発明の様々な実施形態の上述の利益および他の利点は、本発明の例示的な実施形態の以下の詳細な説明から、および添付図面から、より明らかになるであろう。
【図面の簡単な説明】
【００２０】
【図１】針ハブ、内側シールド、およびカバーを含むペン針組立品を示す、１つの実施形態におけるペン針送達デバイスの分解図である。
【図２】ペン針組立品の断面図である。
【図３】１つの実施形態における格納デバイス（storage device）の上面斜視図である。
【図４】把握部材を示す、図３の格納デバイスの底面斜視図である。
【図５】ウェル内に位置付けられたペン針組立品を示す、格納デバイスの断面図である。
【図６】針ハブに接続されている送達デバイスを示す、デバイスの断面図である。
【図７】外側カバーから引かれている針ハブを示す、デバイスの斜視図である。
【図８】内側シールドをデバイスのウェル内に挿入するペン針送達デバイスの断面図である。
【図９】内側シールドから分離されているペン針送達デバイスの断面図である。
【図１０】ウェル内に保持される外側カバー内に挿入されている針ハブの断面図である。
【図１１】使用後に外側カバー内部に位置付けられた針ハブを示す断面図である。
【図１２】使用された針ハブから分離された送達デバイスを示す断面図である。
【図１３】使用された針ハブ、外側カバーおよび内側シールドをデバイスから排出するための位置にあるエジェクタを示す断面図である。
【発明を実施するための形態】
【００２１】
図面を通して、同様の参照番号は、同様の部品、構成成分、および構成を指すことは理解されよう。
【００２２】
本装置は、ペン送達デバイスと使用するための少なくとも１つのおよび好ましくは複数のペン針組立品を格納しおよび支持するためのデバイスを対象とする。装置は、偶発的な針刺しのリスクを低減させるために、使用された針ハブが使用後にデバイス内に再配置され（replaced）および後に針ハブに手を触れることなく廃棄され得る、使用された針ハブのための格納デバイスを対象とする。
【００２３】
本開示は、以下の記載において明らかにされまたは図面に例示される構造の詳細および構成成分の配置へのその適用に限定されないことは、当業者によって理解されよう。本明細書における実施形態は、様々な方法で修正され実施されまたは実行され得る。また、本明細書において使用される言葉遣い（phraseology）および用語（terminology）は、説明の目的のためであり、および限定しているとみなされるべきではないことは理解されよう。本明細書における「含む（including）」、「含む（comprising）」、または「有する（having）」およびそれらの変形の使用は、以降に列挙されるアイテムおよびそれらの等価物、ならびに付加的なアイテムを包含することが意味される。そうではないと限定されない限り、本明細書における用語「接続され（connected）」、「結合され（coupled）」、および「据え付けられ（mounted）」、ならびにそれらの変形は、広く使用され、および直接的および間接的な接続、結合、および据え付けを包含する。加えて、用語「接続され（connected）」および「結合され（coupled）」およびそれらの変形は、物理的または機械的接続または結合に制限されない。さらに、上に（up）、下に（down）、底（bottom）、および上（top）のような用語は、相対的であり、および例示を助けるために採用されるが、限定的ではない。
【００２４】
針ハブ組立品のためのデバイスは、便利かつ容易な組み立て、および露出された針カニューレに手を触れることが減らされたペン送達デバイス上の針ハブの取り外しを可能にし得る。針ハブ組立品のためのデバイスは、ペン針送達デバイスが針ハブ組立品に片手で取り付けられ、それによって、露出された針カニューレを備える針ハブに手を触れることによる針刺しのリスクを低減し得るように、テーブルのような平坦な表面上に配置され得る。
【００２５】
ペン針送達デバイス１０は、図１に示されるように、典型的には、用量ノブ／ボタン、外部スリーブ１２、およびキャップを含む。用量ノブ／ボタンは、使用者が注射されるべき薬の投与量を設定することを可能にする。外部スリーブ１２は、外部スリーブ１２は、薬を注射するときに、使用者によって把握される。キャップは、シャツポケット、財布、または他の適当な場所にペン注射器デバイス１０を安全に保持し、および偶発的な針損傷からのカバー／保護を提供するために、使用者によって使用される。
【００２６】
標準的なペン針送達デバイスにおいて、投薬および送達機構は全て、外部スリーブ１２内部で見られ、およびそれらは従来技術の知識を有する者によって理解されるので、本明細書により詳細には記載されない。薬剤カートリッジ（medicament cartridge）は、典型的には、知られている取り付け手段によって標準的なペン注射器ハウジングに取り付けられる。薬剤カートリッジ内部におけるプランジャまたはストッパの遠位移動（distal movement）は、薬がリザーバハウジング内に押し込められることを引き起こす。薬剤カートリッジは、セプタムによってシールされ、およびリザーバまたはハウジング内部に位置するセプタム貫通針カニューレによって穿刺される。リザーバハウジングは、好ましくは、薬剤カートリッジ上に螺着される（screwed onto）が、他の取り付け手段が使用され得る。ペン針送達デバイスは、業界において知られている標準的なペン送達デバイスであり得るので、ペン針送達デバイスは詳細には示されない。ペン針組立品１８は図２に示されるように、カニューレ２０を支持する針ハブ１６、外側カバー２２、および内側シールド２４を含む。保護シール２６は、清潔なおよび滅菌状態（clean and sterile condition）に維持するために針ハブおよびカニューレを封入するために、図２に示されるように外側カバーの開放端に取り付けられる。シールは、使用の間、針ハブにアクセスするために外側カバーから容易に剥離され得るラベルまたは他のクロージャ部材であり得る。
【００２７】
ペン針送達デバイス１０は、送達デバイス１０のねじ山付き端（threaded end）１８に螺着する（screw onto）雌ねじを備える接続用非患者端を有する図１に示される針ハブ１６に接続される。針カニューレ２０は、物質を患者に送達するための針ハブ１６の患者端から延びる。外側カバー２２は、使用前および後に偶発的な針刺しから患者を保護するために針カニューレを覆うために提供され得る。内側シールド２４は、カニューレを封入するために針ハブ１６の該端から延びるポストを覆って設けられる。使用の間、針ハブ１６はペン送達デバイスに接続され、および内側シールドは取り外される。使用後に、外側カバーは、概して、針カニューレを覆うために針ハブ上に配置し戻される。カバーの付いた針ハブは、次いで、ペン針送達デバイスから取り外され、および廃棄される。
【００２８】
デバイスは、少なくとも１つのペン針組立品を、露出されたカニューレを備える針ハブに使用者が手を触れる必要なく、物質を患者に注射するために使用するための針ハブに送達デバイスまたはペン針注射器デバイスが結合され得る場所において、受け入れおよび支持するために構成される。使用された針ハブおよびカニューレは、次いで、デバイス内に保持されおよび送達デバイスから分離された外側カバー内に、位置付けされ戻され得る。使用された外側カバーおよび針ハブおよび内側シールドは、デバイス内に保持される。デバイスは、次いで反転され得（can be inverted）、およびエジェクタは、使用された外側カバー、針ハブおよび内側シールドを安全な処分のために構成要素に手を触れることなく排出するために作動されまたは展開（deployed）され得る。
【００２９】
図３から図５を参照して、本発明の支持用デバイス３０は、側壁３４、上壁３６、開放底端３８、および開放底端３８内に受け入れられるエジェクタ４０を備えるハウジング３２を含む。上壁３６は、ペン針組立品用のウェルを形成する少なくとも１つのおよび好ましくは複数の凹部を備える外側上面４２を有する。示される実施形態において、上壁３６は、互いから離間されおよび上面４２から外方に面する複数の第１のウェル４４を有する。各ウェル４４は、ペン針組立品を受け入れおよび支持する寸法を有し、および図５に示される。複数の第２のウェル４６もまた、上壁３６内に設けられ、および第１のウェル４４から間隔が空けられる。第２のウェル４６は、内側シールド２４を受け入れおよび支持するための寸法を有する。
【００３０】
示されおよび説明される実施形態において、ウェル４４および４６は、上壁３６内に形成される。他の実施形態において、ウェルは、使用者にとってアクセスしやすい側壁内または他の場所に設けられ得る。ウェルを上壁内に設けることにより、送達デバイスは、安定した表面または支持体上に置かれたときに、デバイスの動きを抑制する下方の方向に押され得るという利点を有する。
【００３１】
図５に示されるように、ペン針組立品のためのウェル４４は、ペン針組立品１８の寸法を補完する深さおよび幅を有する。ウェル４４は、ペン針組立品１８および送達デバイス１０のねじ山付き結合端１４を受け入れるのに十分な直径を持つ第１の実質的に円筒形の上部区画（区画）４８を有する。第２の円筒形の区画５０は、第１の区画４８より下で（below））間隔が空けられおよび上壁３６から間隔が空けられる。区画５０は、送達デバイス上の肩部と結合する（mating with）ための第１の区画４８と第２の区画５０との間に延びる棚部５２を備えて、第１の区画４８の直径よりも小さい直径を有する。棚部５２は、上面４２より下で針ハブ１６の外側フランジ５４を凹部に置くために（to recess）、上壁３６からある距離間隔が空けられる。棚部５２は、ペン針組立品の外側カバー２２のためおよび送達デバイスのためのストップ部材を形成する。
【００３２】
円錐形区画５４は、第２の区画５０の底端から下側区画５６まで集中するように延びる。図面に示されるように、下側区画５６は、開放底端５８を有する。下側区画５６は、外側カバー２２の端を補完する形状を有する。示される実施形態において、下側区画５６は、外側カバーの該端の円錐形形状に対応するわずかなテーパまたは円錐形形状を有する。様々な区画によって画定される第１のウェル４４は、ペン針組立品がウェル４４内部で嵌合するように、ペン針組立品の形状および寸法を補完する形状および寸法を有する。
【００３３】
図３に示される１つの実施形態において、複数の歯６０は、図１に示される外側カバー２２の外面内に形成される対応するリブまたは凹部と結合するために、第２の区画５０の底端から内方に突き出る。歯６０は、針ハブ１６を送達デバイスの結合端と結合しおよび送達デバイスの結合端から結合解除する間に、ハウジング３２に関する外側カバー２２の回転運動を抑制するために外側カバーと係合するために、配向される。ウェル４４は、摩擦嵌合によってまたは干渉嵌合によって外側カバー２２を保持するための寸法を有し得る。他の実施形態において、把握部材が、外側カバー２２を把握するために設けられ得る。１つの実施形態において、把握機構は、外側カバー２２の外面と係合するためにウェル４４内の環状の凹部内に受け入れられるＯリングであり得る。
【００３４】
示される実施形態において、複数の第１のウェル４４は、複数のペン針組立品を収容するために上壁３６内に形成される。第１のウェル４４は、必要に応じて適当なパターンで配置され得る。示される実施形態において、第１のウェル４４は、上壁３６の外縁の周辺に概して円形のパターンで配置される。
【００３５】
第２のウェル４６は、針ハブ１６からの分離後に内側シールド２４を受け入れるための形状および寸法を有する。図５に示されるように、ウェル４６は、上面４２から延びる第１の実質的に円筒形の区画６２を有し、および結合端１４のみがウェル４６内に挿入されうるように結合端１４の外径を補完する直径を有する。第１の区画６２は、結合端１４の長さに対応する軸方向長さを有する。棚部６４は、第１の区画６２の底端から下側の実質的に円筒形の区画６６まで半径方向に内方に延びる。下側区画６６は、棚部６４から軸方向に開放底端６８まで延びる。下側区画６６は、内側シールド２４の外径に対応する直径を有する。１つの実施形態において、下側区画６６の直径は、内側シールド２４が針ハブ１６のポストから分離されることを可能にするために、内側シールド２４を把握するために、内側シールド２４と摩擦嵌合を形成するための直径を有する。
【００３６】
エジェクタ４０は、ハウジング３２に関して軸方向に摺動するためにハウジング３２の開放底端３８内部に据え付けられる。示される実施形態において、エジェクタ４０は、上壁３６とエジェクタ４０との間に延びるばね部材７０によって、上壁３６から遠ざかるように付勢される。エジェクタ４０は、開放底３８内部に嵌合するためのおよびハウジング３２内部において摺動するための外寸を有する底板（bottom plate）７２によって形成される。ハウジング３２は、ハウジング３２の底端まで軸方向に延びる案内ポスト７４を含む。底板７２には、ハウジング３２に対する摺動移動（sliding movement）のための案内ポスト７６を受け入れる開口７４が備わっている。ストップ部材７８は、底板７２の摺動移動を可能にしながら、底板７２をハウジング３２のキャビティ内部に保持するために、各案内ポスト７６上に設けられている。
【００３７】
ハウジング３２は、側壁３４からハウジング３２の軸中心に向かって半径方向に内方に延びるフランジ８０を有し、および側壁の上端と底端との間に位置付けられる。軸方向に延びる内壁８２は、上壁３６に向かう上向き方向に延び、および側壁３４から半径方向に内方におよび側壁３４と平行に間隔が空けられる。フランジ８０は、底板７２から延びるプランジャ８６と位置合わせされおよびプランジャ８６を受け入れる穴８４を含む。図６に示されるように、プランジャ８６は、第１のウェル４４の内部における摺動移動のために、エジェクタ４０の摺動移動を用いて、第１のウェル４４の開放底端５８と位置合わせされる。フランジ８０は、各ウェル４４と位置合わせされる穴１０４を含む。各ウェル４４のためのプランジャ８６は、底板７２上に設けられる。
【００３８】
エジェクタ４０は、板９０を支持するための、底板７２から上壁３６に向かって上向きに延びる中心ポスト８８を含む。板９０は、内壁８２のキャビティ内部において軸方向に摺動するために、内壁８２の内寸に対応する外寸を持つ実質的に平坦な構成を有する。下側スリーブ９２は中心ポスト８８と結合するために、および上側スリーブ９４はばね７０と結合するために、板９０の底面から延びる。プランジャ９６は、板９０の上面から延び、およびウェル５０を通って摺動するために、第２のウェル４６の開放底端６８と位置合わせされる。各ウェル４６には、対応するプランジャ９６が備わっている。図５に示されるように、ばね７０は、ペン針組立品の構成要素がそれぞれのウェル内に挿入され得るように、プランジャ８６およびプランジャ９６が退避位置（retracted position）にあるように、エジェクタ４０を上壁３６から遠ざかるように付勢する。エジェクタは、それぞれのウェルから構成要素を排出するために、プランジャ８６およびプランジャ９６が図１３に示される第２の位置になるように、手動で上方に押され得る。
【００３９】
デバイス３０の底面は、テーブルの上のような表面上に置かれたときに摺動に抵抗するための摺動抵抗性表面または摩擦部材を含み得る。示される実施形態において、底板７２の底面には、使用の間、支持用表面上でデバイスを安定化させるための、摺動抵抗性パッド１００および吸引状（suction-like）カップ１０２が備わっている。他の実施形態において、ハウジングの側壁３４の底縁には、適当な非摺動表面または部材（non-slip surface or member）備わっていてもよい。
【００４０】
本発明の支持デバイス３０は、露出されたカニューレを備える針ハブに使用者が手を触れる必要を回避することによって偶発的な針刺しのリスクを低減させる方法で、針ハブをペン針送達デバイスに結合しおよび結合解除するために使用される。デバイスは、また、安全なやり方で、使用された針ハブを格納しおよび使用された針ハブを廃棄する、便利な方法を提供する。
【００４１】
デバイスは、送達デバイスを針ハブに結合しおよび結合解除し、および注射後のカニューレへの使用者による露出が低減された状態で、使用された針ハブを処分する方法における使用のために適当である。使用時に、シール２６は、ペン針組立品１８から取り外され得、およびペン針組立品は、図５に示されるように、組立品がデバイス３０の上面４２より下に位置付けられるように、選択されたウェル４４内に位置付けられる。他の実施形態において、シールが取り付けられた状態のペン針組立品１８が、ウェル４４内に配置され得る。１つの実施形態において、シールまたはクロージャは、ウェル内に受け入れられた針ハブを保護するために、ウェル４４の開放上端上に設けられ得る。シールは、次いで、使用前に、外側カバーから取り外されまたは分離され得る。慣用のペン針送達デバイスのような送達デバイス１０は、図６に示されるように、ウェル４２内に挿入される。歯６０は、送達デバイス１０の結合端１４が針ハブ１６に結合され得るように、外側カバー２２の外面と係合する。示される実施形態において、結合端１４は、当技術分野において知られているような、針ハブ１６の内面上の雌ねじと結合する（mating with）ための雄ねじを有する。送達デバイス１０は、結合端１８を針ハブ１６内に螺着させるために、ウェル４４内部において回転させられ得る。針ハブ１６が取り付けられた状態の送達デバイス１０は、次いで、図７に示されるように、外側カバー２２がウェル４４内部に捕捉されたままでありながら、内側シールド２４が針ハブ１６の端に取り付けられた状態でウェル４４から退避させられる。
【００４２】
図８を参照して、針ハブ１６および内側シールド２４を備える送達デバイス１０は、内側シールド２４がウェル４６の第２の部分６６内に位置付けられるように、ウェル４６内に挿入される。ウェル４４の第２の部分６６は、送達デバイスが図９に示されるようにウェル４６内部に内側シールド２４を残して引き出され得るように、内側シールド２４を把握するための寸法または他の把握機構を有する。このようにして、針ハブは、針ハブに手を触れることが限定的で、およびカニューレを露出させるために外側カバーおよび内側シールドを手動で取り外す必要なしに、送達デバイスに結合され得る。図９に示される露出されたカニューレを備える送達デバイスは、物質を患者に注射するために使える状態である。
【００４３】
使用後に、使用された針ハブ１６は、使用者が外側カバーまたは針ハブに手を触れる必要なしに、外側カバー２２内に配置し戻され得る。図１０および図１１を参照して、使用された針ハブ１６は、送達デバイス１０に取り付けられていながら、第１のウェル４４内に挿入される。図１１に示されるように、針ハブ１６は、外側カバー２２内に挿入し戻され、そこで、送達デバイスは、針ハブ１６から結合端１４を螺着解除するために回転させられ得る。送達デバイス１０は、次いで、さらなる使用のために、図１２に示されるように、取り外され得る。
【００４４】
本発明の支持用デバイス３０は、偶発的な針刺しのリスクを低減させるために、いくつかの使用された針ハブ１６および対応する内側シールド２４をそれぞれのウェル内に保持することができる。使用された針ハブ１６および内側シールド２４は、図１３に示されるように、デバイス１０を反転させることによって、廃棄され得る。エジェクタ４０は、作動および図１３に示される位置に移動させられ得、そこで、各ウェルから、使用された針およびシリンジのための適当な処分容器内に、プランジャ８６は、使用された針ハブ１６を備える外側カバー２２を排出し、およびプランジャ９６は、内側シールド２４を排出する。ばね７０は、次いで、エジェクタ４０を、再使用のために原位置に付勢し戻す。
【００４５】
本明細書に記載される実施形態に対して本発明の範囲から逸脱することなく変更がなされてもよいことは当業者によって理解されよう。異なる実施形態および請求項の特徴は、それらが互いに矛盾しない限り、互いに組み合わされてもよいことは、特に注意されたい。そのような変更および組み合わせの全ては、本発明の範囲内であるとみなされ、これは、添付の請求項およびそれらの等価物によって定義される。
【００４６】
上述の実施形態および利点は、単に例示的であり、および本発明の範囲を限定するように解釈されるべきではない。本発明の例示の実施形態の記載は、例示的であることが意図され、および本発明の範囲を限定することは意図されない。様々な修正、変更、および変形は、当業者に明らかとなり、および本発明の範囲内に入ることが意図される。
【図１】
2019536566.tif 000003
【図２】
2019536566.tif 000004
【図３】
2019536566.tif 000005
【図４】
2019536566.tif 000006
【図５】
2019536566.tif 000007
【図６】
2019536566.tif 000008
【図７】
2019536566.tif 000009
【図８】
2019536566.tif 000010
【図９】
2019536566.tif 000011
【図１０】
2019536566.tif 000012
【図１１】
2019536566.tif 000013
【図１２】
2019536566.tif 000014
【図１３】
2019536566.tif 000015
【国際調査報告】
2019536566.tif 000016